(57)【要約】【課題】バルコニーやフラットルーフ等の立上り壁部分の施工に際して、立上り壁の天端部分の防水作業の簡略化による省力化と側面部分の左官作業の均一化による作業品質の確保とを同時に実現できる。【解決手段】笠木兼用左官定規は、縦断面の形状が横部材とその下に延びる縦部材でＴ字形状に形成された長尺薄板状部材であって、縦部材の延出部からの横部材の片側幅が左官塗厚であり、横部材の延出部までの幅が立上り壁の天端幅の半分以上である。左官塗厚分の横部材が立上り壁の天端から外側へ突出するように、立上り壁の天端角部の側面に笠木兼用左官定規の縦部材を取付け、笠木兼用左官定規の横部材と横部材の先端部分が重なるように、立上り壁の反対側角部の側面に別の笠木兼用左官定規の縦部材を取付け、立上り壁の天端に、横部材同士の重なる縦目部を塞ぐように防水シートを貼り付け、立上り壁の側面から突出した横部材先端を定規として、立上り壁の側面に左官塗りを行う。【選択図】図２
2008156820.tif 000002
【特許請求の範囲】
【請求項１】
縦断面の形状が横部材とその下に延びる縦部材でＴ字形状に形成された長尺薄板状部材であって、
前記縦部材の延出部からの前記横部材の片側幅が左官塗厚であり、
前記横部材の前記延出部までの幅が立上り壁の天端幅の半分以上であることを特徴とする笠木兼用左官定規。
【請求項２】
縦断面の形状が横部材とその下に延びる一対の縦部材で門型形状に形成された長尺薄板状部材であって、
前記縦部材の延出部からの前記横部材の片側幅が左官塗厚であり、
前記一対の縦部材間の幅が立上り壁の天端幅であることを特徴とする笠木兼用左官定規。 
【請求項３】
前記横部材の幅方向の先端部が厚さを薄く形成されていることを特徴とする請求項1に記載の笠木兼用左官定規。
【請求項４】
前記横部材の幅方向の先端部が厚さを厚く形成されていることを特徴とする請求項1に記載の笠木兼用左官定規。
【請求項５】
前記縦部材に凹凸、または開口部が形成されていることを特徴とする請求項1乃至請求項3のいずれか1項に記載の笠木兼用左官定規。
【請求項６】
前記縦部材は前記延出部で折り畳み可能であることを特徴とする請求項1乃至請求項４のいずれか1項に記載の笠木兼用左官定規。
【請求項７】
左官塗厚分の横部材が立上り壁の天端から外側へ突出するように、立上り壁の天端角部の側面に請求項1に記載の笠木兼用左官定規の縦部材を取付け、
前記笠木兼用左官定規の横部材と横部材の先端部分が重なるように、立上り壁の反対側天端角部の側面に別の前記笠木兼用左官定規の縦部材を取付け、
立上り壁の天端に、横部材同士の重なる縦目部を塞ぐように防水シートを貼り付け、
前記立上り壁の側面から突出した横部材先端を定規として、立上り壁の側面に左官塗りを行うことを特徴とする立上り壁及び笠木の施工方法。
【請求項８】
前記防水シートの両端部で前記立上り壁の側面から突出した横部材先端から縦部材を覆うことを特徴とする請求項７に記載の立上り壁及び笠木の施工方法。
【請求項９】
左官塗厚分の横部材が立上り壁の天端から外側へ突出するように、立上り壁の天端角部の側面に請求項２に記載の笠木兼用左官定規の縦部材を取付け、
前記立上り壁の側面から突出した横部材先端を定規として、立上り壁の側面に左官塗りを行うことを特徴とする立上り壁及び笠木の施工方法。
【発明の詳細な説明】
【技術分野】
【０００１】
この発明は、木造建物全般のバルコニーやフラットルーフ等の立上り壁部分の施工に用いられる笠木兼用左官定規、及び立ち上がり壁及び笠木の施工方法に関するものである。
【背景技術】
【０００２】
例えば、左官定規として、コンクリート壁の天端の笠木部を施工する際に用いる埋め込み型左官定規が提案され（特許文献１）、また笠木部材として、コンクリートブロック塀等の構造体の天端部においてその両側に任意の幅で笠部を突出させることのできるものが提案されている（特許文献２）。
【０００３】
また、例えば、ツーバイフォー構法においては、図９に示すように、立上り壁１００の外壁面に貼った下地ボード１０１の上に防水紙１０２を貼り付け、防水紙１０２は立上り壁廻りの防水シート施工を先行して完了させるまで、その手前で手待ちになる。
【０００４】
この立上り壁廻りの防水シート施工は、立上り壁の天端廻りと外壁１１０との取合い部分に、水切りシート１０３を貼り付ける(図９（a）)。そして、水切りシート１０３の上に入隅補強用防水テープ１０４を貼り付け(図９（ｂ）)、立上り壁の天端部分に笠木定規として構造用合板１０５を取付け、壁取合部に防水テープ１０６を貼り付ける(図９（ｃ）)。さらに、防水テープ１０６の上から構造用合板１０５を包むように、両端の壁取合部間に亘り補強用防水テープ１０７を貼り付けている(図９（ｄ）)。
【０００５】
この立上り壁廻りの防水シート等の施工完了後、立上り壁１００に接続するように外壁面の防水紙１０２を貼り込み、立上り壁１００と外壁面の防水紙１０２を隙間なく一体に接続する。そして、構造用合板１０５の端部を笠木定規として外側側面にモルタル塗りの左官作業を行い、最後に、立上り壁の天端部分にはアルミ笠木を取付けている(図示せず)。
【特許文献１】実開平４-１１６５３９号公報
【特許文献２】特開平１１-６２３２６号公報
【発明の開示】
【発明が解決しようとする課題】
【０００６】
従来の特許文献１の技術は、コンクリート壁の側面に埋め込み型左官定規の下部を固定するだけであり取り付けが確実でない、また特許文献２の技術は、3部材からなり、しかも任意の幅にする部分の構造が複雑であるなどの問題がある。
【０００７】
また、図９に示すツーバイフォー構法においては、立上り壁廻りは周囲の立上り壁１００との取合い（接合部）など出隅入隅部分が多くて複雑な収まりの部分が多くなり、防水処理作業が複雑であり、漏水の危険性も高い。また、立上り壁１００の取合い部分が嵩張ってしまい、その後の施工工程に支障をきたし、例えば補強用防水テープ１０７を貼るのが難しい。また、笠木定規としての構造用合板は、建物形状による納まりによってはその木口部へも防水シートを施工する場合があり、細部の施工となるため手間が掛かり、しかも防水シートが浮き上がる等の施工不良箇所が生じやすい。また、立上り壁の天端は防水シートだけでは最終仕上がりにならず、高価なアルミ笠木が必要であった。
【０００８】
この発明は、かかる点に鑑みてなされたもので、バルコニーやフラットルーフ等の立上り壁部分の施工に際して、立上り壁の天端部分の防水作業の簡略化による省力化と側面部分の左官作業の均一化による作業品質の確保とを同時に実現できる笠木兼用左官定規、及び立上り壁及び笠木の施工方法を提供することを目的としている。
【課題を解決するための手段】
【０００９】
前記課題を解決し、かつ目的を達成するために、この発明は、以下のように構成されている。
【００１０】
請求項１に記載の発明は、縦断面の形状が横部材とその下に延びる縦部材でＴ字形状に形成された長尺薄板状部材であって、
前記縦部材の延出部からの前記横部材の片側幅が左官塗厚であり、
前記横部材の前記延出部までの幅が立上り壁の天端幅の半分以上であることを特徴とする笠木兼用左官定規である。
【００１１】
請求項２に記載の発明は、縦断面の形状が横部材とその下に延びる一対の縦部材で門型形状に形成された長尺薄板状部材であって、
前記縦部材の延出部からの前記横部材の片側幅が左官塗厚であり、
前記一対の縦部材間の幅が立上り壁の天端幅であることを特徴とする笠木兼用左官定規である。
【００１２】
請求項３に記載の発明は、前記横部材の幅方向の先端部が厚さを薄く形成されていることを特徴とする請求項1に記載の笠木兼用左官定規である。
【００１３】
請求項４に記載の発明は、前記横部材の幅方向の先端部が厚さを厚く形成されていることを特徴とする請求項1に記載の笠木兼用左官定規である。
【００１４】
請求項５に記載の発明は、前記縦部材に凹凸、または開口部が形成されていることを特徴とする請求項1乃至請求項3のいずれか1項に記載の笠木兼用左官定規である。
【００１５】
請求項６に記載の発明は、前記縦部材は前記延出部で折り畳み可能であることを特徴とする請求項1乃至請求項４のいずれか1項に記載の笠木兼用左官定規である。
【００１６】
請求項７に記載の発明は、左官塗厚分の横部材が立上り壁の天端から外側へ突出するように、立上り壁の天端角部の側面に請求項1に記載の笠木兼用左官定規の縦部材を取付け、
前記笠木兼用左官定規の横部材と横部材の先端部分が重なるように、立上り壁の反対側天端角部の側面に別の前記笠木兼用左官定規の縦部材を取付け、
立上り壁の天端に、横部材同士の重なる縦目部を塞ぐように防水シートを貼り付け、
前記立上り壁の側面から突出した横部材先端を定規として、立上り壁の側面に左官塗りを行うことを特徴とする立上り壁及び笠木の施工方法である。
【００１７】
請求項８に記載の発明は、前記防水シートの両端部で前記立上り壁の側面から突出した横部材先端から縦部材を覆うことを特徴とする請求項７に記載の立上り壁及び笠木の施工方法である。
【００１８】
請求項９に記載の発明は、左官塗厚分の横部材が立上り壁の天端から外側へ突出するように、立上り壁の天端角部の側面に請求項２に記載の笠木兼用左官定規の縦部材を取付け、
前記立上り壁の側面から突出した横部材先端を定規として、立上り壁の側面に左官塗りを行うことを特徴とする立上り壁及び笠木の施工方法である。
【発明の効果】
【００１９】
前記構成により、この発明は、以下のような効果を有する。
【００２０】
請求項１に記載の発明では、笠木兼用左官定規を重ねて用いることで、立上り壁に簡単に取付けられ、立上り壁の天端の防水処理作業と、側面の左官塗りの準備作業が同時に完了でき、作業効率と施工精度、施工品質を向上させることができる。また、笠木兼用左官定規の取付けには特別な技能や技術を必要としないし、左官定規代わりになるので左官塗り仕上がりの厚みが均一になる。また、笠木兼用左官定規は、そのままで簡易笠木となり、アルミ笠木取付までの養生が不要になり、コストダウンになる。
【００２１】
請求項２に記載の発明では、笠木兼用左官定規をそのまま用いることで、立上り壁に簡単に取付けられ、立上り壁の天端の防水処理作業と、側面の左官塗りの準備作業が同時に完了でき、作業効率と施工精度、施工品質を向上させることができる。また、笠木兼用左官定規の取付けには特別な技能や技術を必要としないし、左官定規代わりになるので左官塗り仕上がりの厚みが均一になる。また、笠木兼用左官定規は、そのままで簡易笠木となり、アルミ笠木取付までの養生が不要になり、コストダウンになる。
【００２２】
請求項３に記載の発明では、横部材の幅方向の先端部が厚さを薄く形成され、横部材を重ね合わせても段差を無くして厚さを均一にすることができる。
【００２３】
請求項４に記載の発明では、横部材の幅方向の先端部が厚さを厚く形成され、横部材を重ね合わせると先端部で密着して水返しの機能によって外部からの浸水を防止することができる。
【００２４】
請求項５に記載の発明では、縦部材に凹凸、または開口部が形成され、縦部材にモルタルを確実に付着させることができる。
【００２５】
請求項６に記載の発明では、縦部材は延出部で折り畳み可能であり、縦部材を折り畳むことで、運搬、収納効率に優れている。
【００２６】
請求項７に記載の発明では、立上り壁に請求項1に記載の一対の笠木兼用左官定規を横部材の先端部分が重なり、立上り壁の角部の側面に縦部材を取付け、横部材同士の重なる縦目部を塞ぐように防水シートを貼り付け、立上り壁の側面から突出した横部材先端を定規として、立上り壁の側面に左官塗りを行うことで、立上り壁の天端の防水処理作業と、側面の左官塗りの準備作業が同時に完了でき、作業効率と施工精度、施工品質を向上させることができる。また、笠木兼用左官定規の取付けには特別な技能や技術を必要としないし、左官定規代わりになるので左官塗り仕上がりの厚みが均一になる。また、笠木兼用左官定規は、そのままで簡易笠木となり、アルミ笠木取付までの養生が不要になり、コストダウンになる。
【００２７】
請求項８に記載の発明では、防水シートの両端部で立上り壁の側面から突出した横部材先端から縦部材を覆うことで、外部からの浸水を防止することができる。
【００２８】
請求項９に記載の発明では、立上り壁に請求項２に記載の笠木兼用左官定規を取付け、立上り壁の側面から突出した横部材先端を定規として、立上り壁の側面に左官塗りを行うことで、立上り壁の天端の防水処理作業と、側面の左官塗りの準備作業が同時に完了でき、作業効率と施工精度、施工品質を向上させることができる。また、笠木兼用左官定規の取付けには特別な技能や技術を必要としないし、左官定規代わりになるので左官塗り仕上がりの厚みが均一になる。また、笠木兼用左官定規は、そのままで簡易笠木となり、アルミ笠木取付までの養生が不要になり、コストダウンになる。
【発明を実施するための最良の形態】
【００２９】
以下、この発明の笠木兼用左官定規、及び立上り壁及び笠木の施工方法の実施の形態について説明するが、この発明の実施の形態は、発明の最も好ましい形態を示すものであり、この発明はこれに限定されない。
【００３０】
[実施の形態１]
まず、笠木兼用左官定規の実施の形態を、図1及び図2に基づいて説明する。図１は右側用の笠木兼用左官定規、左側用の笠木兼用左官定規、防水シートの斜視図、図２は右側用の笠木兼用左官定規、左側用の笠木兼用左官定規、防水シートを用いた施工を示す断面図である。
【００３１】
右側用の笠木兼用左官定規１と、左側用の笠木兼用左官定規２とが同様に構成される。この笠木兼用左官定規１,２は、縦断面の形状が横部材１a,２aとその下に延びる縦部材１ｂ,２ｂでＴ字形状に形成された長尺薄板状部材であって、例えばプラスチックで厚さ0.7mm程度に成形される。
【００３２】
この右側用の笠木兼用左官定規１は、立上り壁１０の天端角部の右側側面１０aに縦部材1bを取付け、左側用の笠木兼用左官定規２は、横部材２aと横部材1aの先端部分が重なるように、立上り壁１０の反対側天端角部の左側側面１０ｂに縦部材２ｂを取付ける。立上り壁１０の天端１０ｃには、横部材同士の重なる縦目部を塞ぐように防水シート４を貼り付ける。また、横部材２aと縦部材1bの先端付近の重なる部分の間に、例えば粘着性の 薄い防水テープ等を挟み込んで密着させ防水性を向上させても良い。
【００３３】
横部材１a,２aと縦部材１ｂ,２ｂは、一体に成形してもよいし、それぞれ別体に成形して接着テープや接着剤等で接続してもよい。縦部材１ｂ,２ｂの延出部１a１,２a１からの横部材１a,２aの片側幅L10,L20が左官塗厚であり、横部材１a,２aの延出部１a１,２a１までの幅L1１,L2１が立上り壁１０の天端幅L３０の半分以上であり、これにより横部材１a,２aを重ねて用い種々の天端幅L３０に対応することができる。
【００３４】
横部材１a,２aは、その幅方向の先端部１a２,２a２が厚さを薄く形成している。この場合、幅方向の先端部１a２,２a２になるほど次第に厚さを薄く形成することで、横部材１a,２aを重ね合わせても横部材１a,２aの段差を無くして密着性をよくし、かつ厚さを均一にすることができ、防水シート４を貼り付が簡単かつ確実になる。また、一方の横部材に対向する横部材の厚さ分の段差を付けてもよく、これによって仕上がり天端を平ら（段差なし）にすることができる。
【００３５】
また、縦部材１ｂ,２ｂには、開口部１ｂ１,２ｂ１が複数形成され、この開口部１ｂ１,２ｂ１によって縦部材１ｂ,２ｂに左官塗り、例えばモルタルを確実に付着させることができる。縦部材１ｂ,２ｂには、開口部１ｂ１,２ｂ１に代えて凹凸を形成してもよい。凹凸としては、例えば突起や凹み、リブを形成し、あるいは表面をやすりで表面目の荒らし等してもよい。
【００３６】
また、縦部材１ｂ,２bは延出部１a１,２a１で横部材１a,２aに対して折り畳み可能であり、この実施の形態では可撓性を有するプラスチックで一体成形することで折り畳み可能としているが、縦部材１ｂ,２bを横部材１a,２aと別体に成形し、接着テープ等で接続して縦部材１ｂ,２bを折り畳み可能としてもよい。縦部材１ｂ,２bを折り畳むことで、縦部材１ｂ,２が横部材１a,２aに重なってコンパクトになり、嵩張らず収納、運搬が容易になる。また、右側用の笠木兼用左官定規１と、左側用の笠木兼用左官定規２とはそれぞれ使う位置が決まっている訳ではなく、汎用性のある入れ替え可能な同形状の物とすることができる。
【００３７】
[実施の形態２]
次に、笠木兼用左官定規の他の実施の形態を、図３及び図４に基づいて説明する。図３は他の実施の形態の右側用の笠木兼用左官定規、左側用の笠木兼用左官定規、防水シートの斜視図、図４は他の実施の形態の右側用の笠木兼用左官定規、左側用の笠木兼用左官定規、防水シートを用いた施工を示す断面図である。
【００３８】
右側用の笠木兼用左官定規１と、左側用の笠木兼用左官定規２とが同様に構成され、図１及び図2の実施の形態と同じ構成は、同じ符号を付して説明を省略する。
【００３９】
この実施の形態では、横部材１a,２aの幅方向の先端部１a３,２a３が厚さを厚く形成され、横部材１a,２aを重ね合わせると先端部１a３,２a３で密着して水返しの機能によって外部からの浸水を防止することができる。この横部材１a,２aの先端部１a３,２a３は、一体に形成して厚さを厚くしているが、膨らみ部分を後付けして先端部１a３,２a３の厚さを厚くしてもよい。横部材１a,２aと縦部材１ｂ,２ｂの先端付近の重なる部分の間に、例えば膨潤性の隙間を塞ぐ程度にやや厚いまたは膨張して隙間を塞ぐ程度の厚さの防水テープ等を挟み込んで密着させ防水性を向上させてもよい。
【００４０】
[実施の形態３]
さらに、笠木兼用左官定規の他の実施の形態を、図５及び図６に基づいて説明する。図５は他の実施の形態の笠木兼用左官定規の斜視図、図６は他の実施の形態の笠木兼用左官定規を用いた施工を示す断面図である。
【００４１】
この実施の形態の笠木兼用左官定規5は、縦断面の形状が横部材５aとその下に延びる一対の縦部材５b,５bで門型形状に形成された長尺薄板状部材であって、例えばプラスチックで厚さ0.7mm程度に成形される。
【００４２】
縦部材５b,５bの延出部5a1,5a1からの横部材5aの片側幅L40,L40が左官塗厚であり、一対の縦部材間の幅L５０が立上り壁１０の天端幅L30であり、門型形状に形成された長尺薄板状部材は、そのまま立上り壁１０に簡単に取付けられる。
【００４３】
横部材５aと一対の縦部材5b,5bは、一体に成形してもよいし、それぞれ別体に成形して接着テープや接着剤等で接続してもよい。また、縦部材５b,５bには、開口部５b１,５b１が複数形成され、この開口部５b１,５b１によって縦部材５b,５bに左官塗り、例えばモルタルを確実に付着させることができる。縦部材５b,５bには、開口部５b１,５b１に代えて凹凸等を形成してもよい。
【００４４】
また、縦部材５b,５bは延出部5a1,5a１で横部材５aに対して折り畳み可能であり、この実施の形態では可撓性を有するプラスチックで一体成形することで折り畳み可能としているが、縦部材５b,５ｂを横部材５aと別体に成形し、接着テープ等で接続して縦部材5b,5bを折り畳み可能としてもよい。
【００４５】
次に、図1及び図2に示す笠木兼用左官定規を用いた立上り壁及び笠木の施工方法を、図7に基づいて説明する。図７は右側用の笠木兼用左官定規、左側用の笠木兼用左官定規、防水シートを用いた施工手順を示す図である。
【００４６】
この実施の形態では、Ｔ字形状に形成された長尺薄板状部材からなる右側用の笠木兼用左官定規１と、左側用の笠木兼用左官定規２とを用い、ツーバイフォー構法から在来工法まで木造建物全般のバルコニーやフラットルーフなどの立上り壁部分の施工に用いられる。
【００４７】
この施工の手順は、右側用の笠木兼用左官定規１の左官塗厚分の横部材１aが立上り壁１０の天端１０ｃから外側へ突出するように、立上り壁10の天端角部の側面10aに縦部材1bを取付ける(図７（a）)。
【００４８】
次に、左側用の笠木兼用左官定規２を、その横部材２aの先端部分が、右側用の笠木兼用左官定規１の横部材１aの先端部分と重なるように、立上り壁１０の反対側天端角部の側面１０ｂに縦部材２ｂを取付ける(図７（ｂ）)。この縦部材1b,2bの取付は、防水上支障にならないように横方向、水平方向に打ち込む釘またはステップルなどの固定手段７,8によって固定する。
【００４９】
そして、立上り壁１０の天端１０ｃに、横部材同士の重なる縦目部を塞ぐように防水シート４を貼り付ける(図７（ｃ）)。この防水シート4は幅方向に長いものを用い、二点鎖線で示すように、両端部で立上り壁１０の側面１０a,10bから突出した横部材先端から縦部材１b,2bを覆うようにしてもよく、より一層外部からの浸水を防止することができる。
【００５０】
最後に、立上り壁１０の側面１０a,１０bから突出した横部材先端を定規として、立上り壁１０の側面１０a,１０bに左官塗り６,６を行う(図７（ｄ）)。この左官塗り６,６は、モルタルで行う。
【００５１】
このようにして、立上り壁１０に笠木兼用左官定規１,2を取付け、立上り壁10の天端１０ｃに、横部材同士の重なる縦目部を塞ぐように防水シート４を貼り付け、立上り壁１０の側面１０a,１０ｂから突出した横部材先端を定規とし、立上り壁１０の側面１０a,１０bに左官塗り６,６を行うことで、立上り壁１０の天端１０ｃの防水処理作業と、側面１０a,10bの左官塗り６，６の準備作業が同時に完了でき、作業効率と施工精度、施工品質を向上させることができる。また、笠木兼用左官定規１,2の取付けには、特別な技能や技術を必要としないし、左官定規代わりになるので左官塗り仕上がりの厚みが均一になる。また、笠木兼用左官定規１,2は、そのままで簡易笠木となり、アルミ笠木取付までの養生が不要になり、コストダウンになる。
【００５２】
次に、図５及び図６に示す笠木兼用左官定規を用いた立上り壁及び笠木の施工方法を、図８に基づいて説明する。図８は他の実施の形態の笠木兼用左官定規を用いた施工手順を示す図である。
【００５３】
この施工の手順は、立上り壁１０の上方を覆うように横部材5aを取り付け、天端１０ｃから外側へ突出するように、立上り壁10の天端角部の側面10a,10bに一対の縦部材５b,5bを取付け、固定手段７,8によって固定する(図8（a）)。
【００５４】
そして、立上り壁１０の側面１０a,１０bから突出した横部材先端を定規として、立上り壁１０の側面１０a,１０bに左官塗り６,６を行う(図8（b）)。この左官塗り６,6は、モルタルで行う。
このようにして、立上り壁１０に笠木兼用左官定規５を取付けるだけで、立上り壁１０の側面１０a,10bから突出した横部材先端を定規として、立上り壁１０の側面１０a,１０bに左官塗り６,６を行い、立上り壁１０の天端１０ｃの防水処理作業と、側面１０a,１０bの左官塗り６,6の準備作業が同時に完了でき、作業効率と施工精度、施工品質を向上させることができる。また、笠木兼用左官定規５の取付けには特別な技能や技術を必要としないし、左官定規代わりになるので左官塗り仕上がりの厚みが均一になる。また、笠木兼用左官定規５は、そのままで簡易笠木となり、アルミ笠木取付までの養生が不要になり、コストダウンになる。
【産業上の利用可能性】
【００５５】
この発明は、木造建物全般のバルコニーやフラットルーフ等の立上り壁部分の施工に用いられる笠木兼用左官定規、及び立ち上がり壁及び笠木の施工方法に適用でき、バルコニーやフラットルーフ等の立上り壁部分の施工に際して、立上り壁の天端部分の防水作業の簡略化による省力化と側面部分の左官作業の均一化による作業品質の確保とを同時に実現できる。
【図面の簡単な説明】
【００５６】
【図１】右側用の笠木兼用左官定規、左側用の笠木兼用左官定規、防水シートの斜視図である。
【図２】右側用の笠木兼用左官定規、左側用の笠木兼用左官定規、防水シートを用いた施工を示す断面図である。
【図３】他の実施の形態の右側用の笠木兼用左官定規、左側用の笠木兼用左官定規、防水シートの斜視図である。
【図４】他の実施の形態の右側用の笠木兼用左官定規、左側用の笠木兼用左官定規、防水シートを用いた施工を示す断面図である。
【図５】他の実施の形態の笠木兼用左官定規の斜視図である。
【図６】他の実施の形態の笠木兼用左官定規を用いた施工を示す断面図である。
【図７】右側用の笠木兼用左官定規、左側用の笠木兼用左官定規、防水シートを用いた施工手順を示す図である。
【図８】他の実施の形態の笠木兼用左官定規を用いた施工手順を示す図である。
【図９】従来の立上り壁廻りの防水シート施工を示す図である。
【符号の説明】
【００５７】
１  右側用の笠木兼用左官定規
２  左側用の笠木兼用左官定規
１a,２a  横部材
１ｂ,２ｂ  縦部材
４  防水シート
５  笠木兼用左官定規
５a 横部材
５b,５b 一対の縦部材
６,６ 左官塗り
７,８  固定手段
１０  立上り壁
１０a  天端角部の右側側面
１０ｂ  天端角部の左側側面
１０c  立上り壁１０の天端
【図１】
2008156820.tif 000003
【図２】
2008156820.tif 000004
【図３】
2008156820.tif 000005
【図４】
2008156820.tif 000006
【図５】
2008156820.tif 000007
【図６】
2008156820.tif 000008
【図７】
2008156820.tif 000009
【図８】
2008156820.tif 000010
【図９】
2008156820.tif 000011